(57)【要約】      （修正有）【課題】ストラップレスブラジャーの蒸れを防止するストラップレスパッドを提供する。【解決手段】乳房の形状に対応するシートと、当該シートの内面に形成されている内粘着層と、当該シートの外面に形成されている外粘着層とを備えるストラップレスパッド１０であって、シート、内粘着層及び外粘着層に少なくとも一つの通気孔１６が形成されている。【選択図】図２
0003231974.tif 000002
【実用新案登録請求の範囲】
【請求項１】
乳房の形状に対応するシートと、当該シートの内面に形成されている内粘着層と、当該シートの外面に形成されている外粘着層とを備えるストラップレスパッドであって、シート、内粘着層及び外粘着層に少なくとも一つの通気孔が形成されていることを特徴とするストラップレスパッド。
【請求項２】
通気孔が１個以上１００個以下、形成されている請求項１に記載のストラップレスパッド。
【考案の詳細な説明】
【技術分野】
【０００１】
本考案はストラップレスパッドに関し、特に両面に粘着層が形成されているストラップレスパッドに関する。
【背景技術】
【０００２】
女性の下着にブラジャーがあるが、典型的なブラジャーは、女性の乳房に対応する形状となっている二つのカップと、背中に接触するストラップとを備えている。ブラジャーを着脱するときに、フックを止めたり外したりするのだが、背中側のバックベルトにフックが形成されているタイプもあれば、カップとカップの間にフックが形成されているタイプもある。
【０００３】
典型的でないブラジャーにヌーブラがあるのだが、ヌーブラは二つのカップから構成されている一方、背中に接触するバックベルトも肩ストラップも省略されている。ヌーブラであっても、二つのカップは何らかの接続部で接続している。ヌーブラでは、カップの内面にシリコーンで形成された粘着層が設けられており、この粘着層で乳房表面と接触するとともに、粘着力によりヌーブラが乳房から落ちないのようになっている。
【０００４】
ところで、最近のウェディングドレスには斬新なデザインが採用されており、通常のブラジャーを着用できないことがある。例えば、胸の谷間、即ち、乳房と乳房の間が正面から見えるように深くV字状にカットされているウェディングドレスが人気になっているが、このようなウェディングドレスと一緒に通常のブラジャーを着用したときには、ブラジャーのカップの一部又はカップとカップの接続部が見えてしまう。すると、ウェディングドレスが着用されるような場面でこのようなブラジャーを着用することはできない。
【０００５】
このような問題はヌーブラでも同様である。ヌーブラであっても、二つのカップは互いに接続しているので、ウェディングドレスのデザインによっては、カップ接続部が見えてしまい、ファッションとして問題がある。
【０００６】
ここではウェディングドレスが例示されているが、ウェディングドレスは多くの独身女性の憧れであり、特に思い入れが強いファッションという観点から例示しているのに過ぎない。女性ファッションは多種多様であり、本考案はウェディングドレスに限定されるわけでなく、ワンピースなどウェディングドレス以外であっても同様な問題がある。
【０００７】
最近、ストラップレスパッドという名称の商品が発売されている。ここで、ストラップレスパッドは、ストラップが全く設けられていない点、即ち、肩ストラップもバックベルトも設けられていない点に特徴があり、一方の乳房に一つのストラップレスパッドを着用することになる。ストラップレスパッドを着用したときには、乳房と乳房の間からストラップレスパッドが見えるというような問題がなく、ファッション性に優れている。
【先行技術文献】
【特許文献】
【０００８】
【特許文献１】特開２００５−２６４３７３号公報
【考案の概要】
【考案が解決しようとする課題】
【０００９】
ところが、ストラップレスパッドを着用したときには、肌が蒸れるという問題があった。即ち、ストラップレスパッドの素材には合成樹脂が用いられており、素材に起因して通気性が乏しい。更に、ストラップレスパッドを着用するとき、ストラップレスパッドが必然的に肌に密着することになるので、肌とストラップレスパッドの間に形成される微細な空間を介して通気性を確保することができない。これに対して、典型的なブラジャーでは、カップが乳房の形状に沿って形成されているといっても、カップと乳房表面、即ち、カップと肌との間に微細な空間が形成されており、この微細な空間を介して空気が流れることができる。ストラップレスパッドでは、このような微細な空間を介して空気が流れることは期待できない。
【００１０】
また、ストラップレスパッドを着用したときに、ストラップレスパッドとドレスなどの衣服をどのように止めるかという問題があった。
【課題を解決するための手段】
【００１１】
そこで、本考案はストラップレスパッドによる蒸れを防止すべく、ストラップレスパッドに通気孔を形成し、好ましくは複数の通気孔を形成する。即ち、本考案は、乳房の形状に対応するシートと、当該シートの内面に形成されている内粘着層と、当該シートの外面に形成されている外粘着層とを備えるストラップレスパッドであって、シート、内粘着層及び外粘着層に少なくとも一つの通気孔が形成されていることを特徴とするストラップレスパッドを提供する。
【考案の効果】
【００１２】
ストラップレスパッドを着用したときの蒸れを防止することができる。また、ストラップレスパッドの外面に粘着層が形成されているので、粘着層でドレスなどの衣服に止めることができる。
【図面の簡単な説明】
【００１３】
【図１】本考案に係るストラップレスパッドの側面図である。
【図２】本考案に係るストラップレスパッドの概略図である。
【考案を実施するための形態】
【００１４】
図１の側面図に示すように、ストラップレスパッドは、乳房の形状に対応する透明シート１２と、シート１２の内面に形成されている粘着層１４ａと外面に形成されている粘着層１４ｂを備える。ストラップレスパッドを着用したときには、粘着層１４ａと肌が密着する一方、粘着層１４ｂとドレス、ブラジャーなどの衣服が接触することになる。典型的には、粘着層１４ａはヌーブラと同様に機能して肌に粘着する。一方、粘着層１４ｂが衣服と粘着する。粘着層１４ａと粘着層１４ｂは同一の素材で構成されていることが好ましい。本考案のストラップレスパッドを着用したときには、ブラジャーの着用を省略してもよいが、ブラジャーの着用を妨げるものでない。ブラジャーを着用するとかしないという決定は多種多様な女性ファッションや女性の好みによる。
【００１５】
図２に示すように、ストラップレスパッド１０に複数の通気孔１６が形成されている。通気孔のサイズ及び形状は互いに同一であってもよいが、同一に限定されない。図２でシート及び粘着層の側面が、それぞれ１０ａ、１６ａで示されている。
【００１６】
図２で個々の通気孔１６の形状はハート形状である。しかしながら、通気孔の形状は制限されるものでなく、ハート形状、星形、円などが挙げられる。審美性の観点から通気孔がハート形状に形成されているのが望ましい。
【００１７】
通気孔の数は１個から１００個であることが好ましく、３個から５０個であることが更に好ましい。蒸れを防止するという観点では通気孔の数が多いことが望ましい。一方、通気孔を形成することによりストラップレスパッドの強度が低下することになるので、通気孔の数は１００個以下であることが望ましく、５０個以下が更に望ましい。
【００１８】
個々の通気孔のサイズは１平方ミリメートル以上が好ましく、１０平方ミリメートル以上が更に好ましい。個々の通気孔のサイズは２０００平方ミリメートル以下が好ましく、１０００平方ミリメートル以下が好ましい。
【００１９】
靴のジェルパッドにソフトシリコーンが用いられているが、ストラップレスパッドには同様の素材が好適に用いられる。また、乳がん手術で乳房を切除したときには、乳房を再建するためにシリコーン素材が用いられるが、このようなシリコーン素材もストラップレスパッドに転用することができる。
【００２０】
ストラップレスパッドは全体として透明であることが望ましいが、透明に限定されるものでない。ストラップレスパッドが全体ととして透明であるときには、無色透明であってもよいが、赤、ピンク、黄色などの着色がされていてもよい。
【００２１】
符号の説明
１０  ストラップレスパッド
１０ａ  側面
１２    シート
１４ａ  粘着層
１４ｂ  粘着層
１６    通気孔
１６ａ  側面
【図１】
0003231974.tif 000003
【図２】
0003231974.tif 000004